(57)【要約】【課題】  簡便に指に着脱することができ、且つ指が汚れることを防止することができる指カバーを提供することを目的とする。【解決手段】  指２１，２２，２３に指カバー２５，２６，２７を巻回して固定することによって指２１，２２，２３を指カバー２５，２６，２７で覆う。これにより、食物２８を直接指２１，２２，２３で掴んだ場合でも、これら指２１，２２，２３が汚れることがない。また、指カバー２５，２６，２７は簡単に着脱することができ、使用者は着脱する際の煩わしさを殆ど感じることがない。【選択図】  図３
2005068603.tif 000002
【特許請求の範囲】
【請求項１】
指の略周囲を巻回できる寸法の非粘着性表面を有するシート部と、
前記シート部を前記指に固定する指用固定部と、
巻回される前記シート部間を固定するシート部用固定部とを有すること
を特徴とする指カバー。
【請求項２】
前記シート部は、略矩形状を有すること
を特徴とする請求項１記載の指カバー。
【請求項３】
前記シート部には所要の情報が表示されていること
を特徴とする請求項１記載の指カバー。
【発明の詳細な説明】
【技術分野】
【０００１】
本発明は、食物などを掴む際に指を保護して汚れないようにする指カバーに関する。
【背景技術】
【０００２】
従来、指を保護するための保護具としては、手袋や指サックの如き袋状のものが知られている。手袋の如き保護具は、例えば料理を行う際に熱によって火傷を負わないように手全体を被覆して使用される場合が多く、指サックは、書類を捲る際に指が滑らないように指を挿入して使用される場合もある。
【０００３】
また、料理を行う際に指が汚れないように被覆する指カバーも提案されており、例えば、特許文献１に記載された指カバーは、作業に必要な指をカバーするための袋部を有しており、これら袋部に指を挿入して当該指を保護する構成を有している。
【０００４】
【特許文献１】実開平０４−１８６１４号公報
【発明の開示】
【発明が解決しようとする課題】
【０００５】
ところで、日常生活で食物を指で直接掴んで食べる場合があり、例えば、鶏肉を油で揚げたフライドチキン、フライドポテト、肉、魚或いは野菜をパンに挟んで食べるハンバーガー、ジャガイモをスライスして油で揚げたポテトチップスの如き食物を食べる際には当該食物を指で直接掴んで食べることも多い。
【０００６】
しかしながら、このような食物を指で直接掴んだ場合には指に油がつき、指が汚れる。このような指の汚れを拭き取る際には、通常、拭き取り用の紙で汚れた指を拭いたり、汚れた指を水で洗浄したりするため、上述した食物を食する者は指の汚れを落とすために面倒な動作を強いられるうえ、十分に汚れを落とすことができない場合もある。特に、指の汚れが十分に落ちない場合には衛生的に好ましくない。また、特許文献１に記載された指カバーは、指に着脱する際に手間がかかる。よって、提供された食物を指で掴んで食べる際に、指が汚れないように当該指を保護することでき、且つ簡単に着脱することができる指カバーが求められていた。
【０００７】
さらに、上述したフライドチキン、ハンバーガー、或いはポテトチップスの如き食物は日常生活で食される機会が多いことから、これら食物に添えられる包装紙や付属物は数多くの人に見られる機会も多い。したがって、上述した包装紙や付属物は各種情報を提供する広告媒体として有効な手段となることが想定される。
【０００８】
よって、本発明は、簡便に指に着脱することができ、且つ指が汚れることを防止することができる指カバーを提供することを目的とする。さらに、本発明は、広告媒体としても兼用することができる指カバーを提供することを目的とする。
【課題を解決するための手段】
【０００９】
本発明にかかる指カバーは、指の略周囲を巻回できる寸法の非粘着性表面を有するシート部と、前記シート部を前記指に固定する指用固定部と、巻回される前記シート部間を固定するシート部用固定部とを有することを特徴とする。本発明にかかる指カバーによれば、指に簡単に装着して固定することができるうえ、指カバーから指を簡単に外すことも可能となる。さらに、食物などを指で掴んだ場合でも当該指が汚れることが殆どない。したがって、指カバーを指に着脱する際の煩わしさを殆ど感じることがないうえ、指を清潔に保つことができる。
【発明の効果】
【００１０】
本発明にかかる指カバーによれば、指で食物を掴んで食べる際に当該指が汚れることを防止することができる。したがって、指を清潔に保つことが可能となる。さらに、本発明にかかる指カバーは、簡便に指に着脱自在であることから、当該指カバーの使用者に指カバーを着脱する際の煩わしさを殆ど感じさせることがない。さらに、本発明にかかる指カバーに所要の情報を表示することができることから、広告媒体として指カバーを利用することもできる。
【発明を実施するための最良の形態】
【００１１】
以下、本実施形態にかかる指カバーについて図面を参照しながら詳細に説明する。
【００１２】
図１は、本実施形態にかかる指カバーの構成を示す平面図であり、図１（ａ）は指カバー１を裏面側から見た平面図、図１（ｂ）は表面側から見た平面図である。なお、本実施形態に指カバー１は、指カバー１が複数綴られたシートとして提供される例を示しているが、本発明にかかる指カバーは本実施形態に限定されるものでなく、指カバー１がそれぞれ分離されて提供されても良い。
【００１３】
図１（ａ）に示すように、指カバー１は、指に装着する際に当該指に巻回されるシート部２と、当該指にシート部２を固定するための固定部３を備える。
【００１４】
シート部２は略矩形状を有しており、保護対象となる指に巻回され、当該指が汚れないように保護する。また、シート部２は、指に巻回自在な素材をシート形状に加工して形成され、例えば、紙や合成樹脂性のフィルムを主たる材料として形成される。また、シート部２は略矩形状を有していることから容易に形成でき、さらに指に巻回し易い。シート部２は、指に巻回されて当該指が汚れないように保護することから、指で食物を掴んだ際に油の如き汚れが指に付着しないような素材で形成されていれば良い。また、シート部２は、油や水分が当該シート部２に浸透して指に付着しないような厚みを有していれば良い。なお、本発明にかかる指カバーは、食物を掴む場合に限定されず、指が汚れないように保護する目的で使用されれば如何なる場合においても用いることができ、例えば、医療用の指カバー、或いは汚物処理を行う際に指を保護する指カバーとしても好適である。
【００１５】
指カバー１は複数綴られており、所要の枚数の指カバー１を切り取り線４で切り取って分離して用いることができる。シート部２の幅寸法Ｗは、保護対象となる指をシート部２で巻回した際に、巻回されたシート部２の先端部を折り曲げて当該指の先端部を覆うことができる程度の寸法を有していれば良い。
【００１６】
また、シート部２の長手方向寸法Ｌは、指カバー１を指に巻回して指を覆うことができる寸法を有していれば良い。さらに、長手方向寸法Ｌは指を複数回巻回することができる寸法であることがより好ましい。このような長手方向寸法Ｌを有するシート部２によれば、保護対象となる指の表面に複数重なるように巻回されたシート部２によって当該指を覆うことができる。したがって、油や水分を吸収し易い紙の如き材質でシート部２が形成されている場合でも、食物を指で掴んだ際に油や水分が指に付着することが殆どない。
【００１７】
固定部３は粘着性を有し、保護対象となる指にシート部２を接着して固定する。固定部３は、シート部２の長手方向Ｌに沿った外縁部の両端に設けられている。一方の固定部３は、指カバー１を指に巻回する際にシート部２を指に固定する指用固定部であり、他方の固定部３は、当該指に巻回された指カバー１が指から容易に外れないようにシート部２間を固定するシート部用固定部である。
【００１８】
なお、固定部３は、指を動かした場合でも当該指から指カバー１が容易に外れないように指カバー１を指に固定することができる位置に配置されていればシート部２の如何なる場所に設けられていても良い。
【００１９】
また、固定部３の粘着性は、指カバー１を指に装着する際に指カバー１を指に固定することができ、且つ指カバー１を指から外す際に容易に指カバー１を指から外すことができる程度に調整されている。このような固定部３によれば、一旦指カバー１を指に巻回した後、簡単に当該指から指カバー１を外すことができることから、指カバー１の使用者に当該指カバー１を着脱する際の煩わしさを感じさせることが殆どない。また、固定部３の粘着性を有する表面には被覆シールが貼り付けてあり、当該被覆シールを剥がして指カバー１を指に装着する。
【００２０】
図１（ｂ）に示すように、指カバー１の表面には所要の情報が表示されている。指カバー１の表面に表示される情報は、例えば、当該指カバー１を用いて食する食物を宣伝する情報の如き広告情報である。具体的には、所謂フライドチキン、ハンバーガー、ポテトチップの如きファーストフードに関する広告情報を表示することができ、例えば、新しく販売される製品の広告情報が表示されていても良い。指カバー１は、上述した食物を食する際に特に好適であることから、これら食物を提供された者は指カバー１に表示された情報を見る機会も多い。したがって、指カバー１は、指が汚れないように当該指を保護するだけでなく、広告媒体としても有効な手段となり得る。なお、指カバー１の表裏両面に所要の情報が表示されていても良い。また、指カバー１の表面に遊園地やテーマパークのキャラクターを表示し、遊園地やテーマパーク内で販売される飲食物とともに指カバー１を提供するとしてもよい。
【００２１】
また、指カバー１に表示される情報も、上述した広告情報に限定されるものでなく、所要の情報を表示することができる。また、指カバー１に広告情報を表示する場合には、当該広告情報を表示することによって広告料金を得ることも可能であり、指カバー１の製造コスト、及び販売コストを回収することによって多大なコストをかけることなく広告効果を高めることと、指を衛生的に保つことの２つの有益な効果を達成することも可能である。
【００２２】
続いて図２を参照しながら、本実施形態にかかる指カバー１０を指に装着する手順を説明する。図２に示すように、固定部１３によってシート部１２を指１６に接着し、シート部１２を指１６に巻回することによって指カバー１０で指を覆う。固定部１３の反対側に設けられた固定部１５は、シート部１２を指１６に巻回した後、固定部１５を覆う被覆シールを剥がして粘着面を露出させ、巻回されたシート部１２を接着して固定する。これにより、シート部１２を指１６に装着することができる。このようにして装着された指カバー１０は指１６を覆うことができ、指１６で食物を掴んだ際に指１６が汚れないようにすることができる。なお、本例では、一本の指１６に指カバー１０を装着しているが、他の指にも同様にして指カバー１０を装着することができる。さらに、シート部１２に固定部１３，１５が設けられていることから、シート部１２を指１６に巻回することによって、指カバー１０を装着しない他方の手を用いて片手で簡単に指カバー１０を装着することができ、指カバー１０を装着する際の煩わしさを指カバー１０の使用者に殆ど感じさせることがない。
【００２３】
図３は、本発明にかかる指カバーを装着して食物を掴んだ状態を示す図である。図３に示すように、親指２１、人差指２２、及び中指２３にそれぞれ本発明にかかる指カバー２５，２６，２７を巻回して装着されており、これら指を汚すことなく食物２８を掴むことができる。さらに、指カバー２５，２６，２７はそれぞれ指に着脱自在に固定されていることから食物２８を掴んだ際にも指からずれることが殆どない。なお、親指２１、人差指２２、中指２３の指先より突出した指カバー２５，２６，２７の先端を折り曲げることにより指カバー２５，２６，２７の装着が完了する。また、爪が長い者が指カバーを指に装着して使用する場合には、指カバーを折り曲げることなく使用しても良い。さらに、指カバーが十分な機械的な強度を有している場合には、指カバーの先端部を折り曲げることなく使用することにより、指カバーの先端部で食物を摘んで保持することもできる。したがって、長い爪を有する使用者の爪を汚れないようにして清潔に保つことができるだけでなく、指カバーの先端部で食物を掴むことによって爪が損傷を受けることも防止することもできる。
【００２４】
次に、図４及び図５を参照しながら、本実施形態にかかる指カバーの提供方法について説明する。図４は、本実施形態にかかる指カバーの提供方法の一例を示す図である。指カバー４２は、食物４０の包装紙４１の付属物として提供される。指カバー４２を使用者が指に装着する際には、包装紙４１から指カバー４２を切り取り、所要の指に巻回して装着する。また、指カバー４２には、食物４０の広告情報の如き所要の情報が表示されていても良い。また、本実施形態にかかる指カバー４２を使用する際には、食物を提供する際に当該食物が収められている包装紙の一部を切り取って使用することができる。
【００２５】
図５は、本実施形態にかかる指カバーの提供方法の別の例を示す図である。指カバー５３は、食物５５や飲み物５６を載せるトレー５１の底面に敷かれるシート５２の一部を構成している。指カバー５３の使用者は、指カバー５３をシート５２から切り取って使用することができる。また、シート５２とは別に指カバー５４を提供することもできる。
【００２６】
図４及び図５を参照して説明したように、食物に添えて提供される指カバーに当該食物の広告情報を表示することによって、指カバーを広告媒体として利用することもできる。また、指カバーには、当該食物の広告情報に限定されるものではなく、他の広告情報が表示されていても良い。さらに、指カバーに広告情報を表示して得られる広告料金を当該指カバーの製造費用に充てることにより、当該指カバーは食物を食する者の指の汚れを防止することができるだけでなく、広告媒体としても利用可能である。
【図面の簡単な説明】
【００２７】
【図１】本実施形態にかかる指カバーの構成を示す平面図である。
【図２】本実施形態にかかる指カバーを指に装着する状態を説明する図である。
【図３】本実施形態にかかる指カバーを指に装着して食物を掴んだ状態を示す図である。
【図４】本実施形態にかかる指カバーの提供方法の一例を示す図である。
【図５】本実施形態にかかる指カバーを提供方法の別の例を示す図である。
【符号の説明】
【００２８】
１，１０，２５，２６，２７，４２，５３，５４  指カバー
２，１２  シート部
３，１３，１５    固定部
【図１】
2005068603.tif 000003
【図２】
2005068603.tif 000004
【図３】
2005068603.tif 000005
【図４】
2005068603.tif 000006
【図５】
2005068603.tif 000007